【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
グラフィカルオブジェクトを保護する方法であって、
当該方法は、装置において、
バウンディングボックスに関連する、複数のポイントを含むグラフィカルオブジェクトを受信するステップと、
前記複数のポイントの少なくとも幾つかのそれぞれのポイントについて、秘密情報を使用した鍵をベースとした発生関数を使用して並進ベクトルを生成し、該並進ベクトルにより変換されたポイントが前記バウンディングボックスの外にあるかを確認し、前記並進ベクトルにより変換されたポイントが前記バウンディングボックスの外にある場合に少なくとも１つの次元について前記バウンディングボックスのサイズを法として前記並進ベクトルを調節して、前記変換されたポイントが前記バウンディングボックス内に位置されるようにし、前記それぞれのポイントに前記並進ベクトルを加算することで前記それぞれのポイントを変換することにより、保護されたグラフィカルオブジェクトを取得するステップと、
前記保護されたグラフィカルオブジェクトを出力するステップとを含み、
前記グラフィカルオブジェクトと前記保護されたグラフィカルオブジェクトは、視覚的に異なる、方法。
【請求項２】
前記グラフィカルオブジェクトは、３次元オブジェクトである、
請求項１記載の方法。
【請求項３】
グラフィカルオブジェクトを保護する装置であって、
当該装置は、
バウンディングボックスに関連する、複数のポイントを含むグラフィカルオブジェクトを受信する手段と、
前記複数のポイントの少なくとも幾つかのそれぞれのポイントについて、秘密情報を使用した鍵をベースとした発生関数を使用して並進ベクトルを生成し、該並進ベクトルにより変換されたポイントが前記バウンディングボックスの外にあるかを確認し、前記並進ベクトルにより変換されたポイントが前記バウンディングボックスの外にある場合に少なくとも１つの次元について前記バウンディングボックスのサイズを法として前記並進ベクトルを調節して、前記変換されたポイントが前記バウンディングボックス内に位置されるようにし、前記それぞれのポイントに前記並進ベクトルを加算することで前記それぞれのポイントを変換することにより、保護されたグラフィカルオブジェクトを取得する手段と、
前記保護されたグラフィカルオブジェクトを出力する手段とを備え、
前記グラフィカルオブジェクトと前記保護されたグラフィカルオブジェクトは視覚的に異なる、装置。
【請求項４】
保護されたグラフィカルオブジェクトの保護を解除する方法であって、
当該方法は、装置において、
バウンディングボックスに関連する、複数のポイントを含む保護されたグラフィカルオブジェクトを受信するステップと、
前記複数のポイントの少なくとも幾つかのそれぞれのポイントについて、秘密情報を使用した鍵をベースとした発生関数を使用して並進ベクトルを生成し、該並進ベクトルにより変換されたポイントが前記バウンディングボックスの外にあるかを確認し、前記並進ベクトルにより変換されたポイントが前記バウンディングボックスの外にある場合に少なくとも１つの次元について前記バウンディングボックスのサイズを法として前記並進ベクトルを調節して、前記変換されたポイントが前記バウンディングボックス内に位置されるようにし、前記それぞれのポイントから前記並進ベクトルを減算することで前記それぞれのポイントを変換することにより、保護が解除されたグラフィカルオブジェクトを取得するステップと、
前記保護が解除されたグラフィカルオブジェクトを出力するステップと、
を含む方法。
【請求項５】
前記出力は表示を含む、
請求項４記載の方法。
【請求項６】
保護されたグラフィカルオブジェクトの保護を解除する装置であって、
当該装置は、
バウンディングボックスに関連する、複数のポイントを含む保護されたグラフィカルオブジェクトを受信する手段と、
前記複数のポイントの少なくとも幾つかのそれぞれのポイントについて、秘密情報を使用した鍵をベースとした発生関数を使用して並進ベクトルを生成し、該並進ベクトルにより変換されたポイントが前記バウンディングボックスの外にあるかを確認し、前記並進ベクトルにより変換されたポイントが前記バウンディングボックスの外にある場合に少なくとも１つの次元について前記バウンディングボックスのサイズを法として前記並進ベクトルを調節して、前記変換されたポイントが前記バウンディングボックス内に位置されるようにし、前記それぞれのポイントを前記並進ベクトルから減算することで前記それぞれのポイントを変換することにより、保護が解除されたグラフィカルオブジェクトを取得する手段と、
前記保護が解除されたグラフィカルオブジェクトを出力する手段と、
を含む装置。
【請求項７】
前記グラフィカルオブジェクトは、３次元オブジェクトである、
請求項６記載の装置。
【請求項８】
グラフィカルオブジェクトを保護する方法であって、
当該方法は、装置において、
複数のポイントを含むグラフィカルオブジェクトを受信するステップと、
前記複数のポイントの少なくとも幾つかのそれぞれのポイントについて、秘密情報を使用した鍵をベースとした発生関数を使用して並進ベクトルを生成し、該並進ベクトルの少なくとも１つの値を制御する下限と上限の少なくとも１つが使用され、前記それぞれのポイントに前記並進ベクトルを加算することで前記それぞれのポイントを変換することにより、保護されたグラフィカルオブジェクトを取得するステップと、
前記保護されたグラフィカルオブジェクトを出力するステップとを含み、
前記グラフィカルオブジェクトと前記保護されたグラフィカルオブジェクトは、視覚的に異なる、方法。
【請求項９】
グラフィカルオブジェクトを保護する装置であって、
当該装置は、
複数のポイントを含むグラフィカルオブジェクトを受信する手段と、
前記複数のポイントの少なくとも幾つかのそれぞれのポイントについて、秘密情報を使用した鍵をベースとした発生関数を使用して並進ベクトルを生成し、該並進ベクトルの少なくとも１つの値を制御する下限と上限の少なくとも１つが使用され、前記それぞれのポイントに前記並進ベクトルを加算することで前記それぞれのポイントを変換することにより、保護されたグラフィカルオブジェクトを取得する手段と、
前記保護されたグラフィカルオブジェクトを出力する手段とを備え、
前記グラフィカルオブジェクトと前記保護されたグラフィカルオブジェクトは視覚的に異なる、装置。
【請求項１０】
保護されたグラフィカルオブジェクトの保護を解除する方法であって、
当該方法は、装置において、
複数のポイントを含む保護されたグラフィカルオブジェクトを受信するステップと、
前記複数のポイントの少なくとも幾つかのそれぞれのポイントについて、秘密情報を使用した鍵をベースとした発生関数を使用して並進ベクトルを生成し、該並進ベクトルの少なくとも１つの値を制御する下限と上限の少なくとも１つが使用され、前記それぞれのポイントから前記並進ベクトルを減算することで前記それぞれのポイントを変換することにより、保護が解除されたグラフィカルオブジェクトを取得するステップと、
前記保護が解除されたグラフィカルオブジェクトを出力するステップと、
を含む方法。
【請求項１１】
保護されたグラフィカルオブジェクトの保護を解除する装置であって、
当該装置は、
複数のポイントを含む保護されたグラフィカルオブジェクトを受信する手段と、
前記複数のポイントの少なくとも幾つかのそれぞれのポイントについて、秘密情報を使用した鍵をベースとした発生関数を使用して並進ベクトルを生成し、該並進ベクトルの少なくとも１つの値を制御する下限と上限の少なくとも１つが使用され、前記それぞれのポイントを前記並進ベクトルから減算することで前記それぞれのポイントを変換することにより、保護が解除されたグラフィカルオブジェクトを取得する手段と、
前記保護が解除されたグラフィカルオブジェクトを出力する手段と、
を含む装置。
【請求項１２】
プロセッサにより実行されたときに、前記プロセッサに、請求項１記載の方法を実行させる命令を含むプログラムを記録したコンピュータ読み取り可能な記録媒体。
【請求項１３】
プロセッサにより実行されたときに、前記プロセッサに、請求項４記載の方法を実行させる命令を含むプログラムを記録したコンピュータ読み取り可能な記録媒体。
【請求項１４】
プロセッサにより実行されたときに、前記プロセッサに、請求項８記載の方法を実行させる命令を含むプログラムを記録したコンピュータ読み取り可能な記録媒体。
【請求項１５】
プロセッサにより実行されたときに、前記プロセッサに、請求項１０記載の方法を実行させる命令を含むプログラムを記録したコンピュータ読み取り可能な記録媒体。